(57)【特許請求の範囲】
【請求項１】
試料中の特定成分を検出するためのバイオセンサを複数収納しうるバイオセンサカートリッジであって、
内ケースと外ケースとからなる筐体を備え、
前記筐体の内ケース内に該バイオセンサが縦列に積層して収納され、
当該筐体が測定器としてのバイオセンサ分与装置に装填され、
目的の試料測定を行う際、 該バイオセンサ分与装置の操作により、各バイオセンサの測定が可能となり、
前記筐体の内ケース、及び外ケースの底面側左右は、センサ送出口及びセンサ送出用ノブ挿入口とを備え、
該センサ送出口と該センサ送出用ノブ挿入口は、バイオセンサ分与装置によるセンサ離脱操作後は、密閉状態となる、
ことを特徴とするバイオセンサカートリッジ。
【請求項２】
請求項１記載のバイオセンサカートリッジにおいて、
前記バイオセンサは、弾性材で積層方向に押圧することにより正規の送出位置に位置決めされ、該バイオセンサを積層方向と直角をなす方向に押圧することにより、順次送出するようにした、
ことを特徴とするバイオセンサカートリッジ。
【請求項３】
請求項１記載のバイオセンサカートリッジにおいて、
前記筐体の外ケースの底面は、前記外ケースの底面側左右にセンサ送出口を備える側の外ケースの稜線が、前記センサ送出用ノブ挿入口を備える側の外ケースの稜線より長い台形となっている、
ことを特徴とするバイオセンサカートリッジ。
【請求項４】
請求項１記載のバイオセンサカートリッジにおいて、
乾燥剤が内蔵されている、
ことを特徴とするバイオセンサカートリッジ。
【発明の詳細な説明】
【０００１】
【発明の属する技術分野】
本発明は、種々の生体試料中の特定成分を高精度で、迅速かつ容易に定量することのできるバイオセンサを複数収納したバイオセンサカートリッジと、該バイオセンサカートリッジを装填し、複数回の測定が可能なバイオセンサ分与装置に関するものである。
【０００２】
【従来の技術】
近年、酵素の有する特異的触媒作用を利用した種々のバイオセンサ（センサ）が開発され、臨床分野への応用が試みられるなかで、迅速にかつ精度よく測定できるバイオセンサが実用化されている。
【０００３】
グルコースセンサを例にとると、糖尿病患者数の増加が著しい今日、血糖値を測定し管理するには、従来のように血液を遠心分離して血しょうを測定するのでは非常に煩雑な手順を要するため全血で測定できるセンサが要望され、本件出願人は特開昭６１−２９４３５１号公報において、この要望を満たし得るバイオセンサを既に提案している。これらの測定は、専用測定器より、センサの電極系へ所定の電圧を供給して電極間に流れる電流値を計測し、この信号をもとに試料液中の基質濃度を計算し、その値を測定器の表示部に示すものである。
【０００４】
図１５は、現在使用されている一般的な従来のバイオセンサの分解斜視図である。
図において、基板５０の上には、対極５３及び測定極５４、それらに連なるリード５１、５２、さらに絶縁層５５が設けられている。また、対極５３と測定極５４を覆うように、酵素及びメディエータ（電子受容体）を含有する反応層（図示せず）が形成されている。基板５０の上にはスペーサ（絶縁層）５５を介してカバー５８が固定されている。５７は試料供給孔であり、ここから被検液（試料）を毛管現象により対極５３及び測定極５４の上に導入させる。被検液の導入とともに、内部の空気は空気孔５９より排出される。５６は逆挿入防止突起であり、この突起により、バイオセンサ測定装置本体へのセンサ６２の逆挿入を防止することが出来る。
【０００５】
図１６は、従来の包装袋の外観模式図であり、現在最も多く使用されているバイオセンサの形態である。
図において、包装袋６１は上包装袋６３及び下包装袋６４から成る。前記包装袋６１は前記センサ６２を包装する。なお、７０は乾燥剤である。
【０００６】
バイオセンサ及び測定器についても、特開平８−２６２０２６号公報に記載される、バイオセンサを複数個セットしたセンサパックが既に商品化されている。
また、前記センサパックを測定器に装填しノブ操作を行う事により、複数回の測定が行えるバイオセンサ分与装置が開発されている。このようなバイオセンサ分与装置では、高齢者の多い糖尿病患者等の使用者に対し、測定使用上において、センサを測定器本体の取り付け口に取付ける際、誤って落としたり、センサを逆方向に挿入したり、さらには逆方向に挿入したままで計測してしまう場合などの、煩雑な面が改善されて来ている。
【０００７】
図１７は、従来のバイオセンサ分与装置の模式図である。
図において、センサ６９は、円形のセンサパック６７に円中心を基準に、放射状に複数個収納されている。測定は、バイオセンサ分与装置６８にセンサパック６７を装填し、バイオセンサ分与装置６８の上部に付いているスライドボタンを、Ｌ字形２アクションスライド動作により、自動的にセンサパック６７よりセンサ６９を取り出し、バイオセンサ分与装置６８の測定位置にセットされる。セットされたセンサ６９は、バイオセンサの電極を通して、バイオセンサ分与装置６８と電気的に接続される。
【０００８】
被検体者は、検体試料である微量の血液を、センサ６９の先端の試料供給孔に付着させる事により、電気回路が自動的にＯＮし、センサ電極に所定の電圧が供給される。バイオセンサ分与装置６８の電気回路は、このセンサ電極間に流れる電流値を計測し、この信号をもとに試料液中の基質濃度を計算し、その値をバイオセンサ分与装置６８の測定値表示器に示す。
【０００９】
従来のバイオセンサ分与装置は以上のように構成されており、複数回の測定をスライドボタンの操作のみで、センサを自動的に測定位置にセットし測定可能とする為、高齢者の多い糖尿病患者等の使用者に対し、測定使用上におけるセンサの逆挿入等の取り扱いミスを防止することができる。
【００１０】
【発明が解決しようとする課題】
このようなバイオセンサによる生体情報測定装置使用者には高齢者が多く、又身体の不自由な人の割合が多い為、測定装置による測定時の取扱いは簡単で、かつ、弱い力で操作が可能であり、測定結果が容易に認識出来る等、測定の容易さにおいてより一層の改善が求められる。
【００１１】
ところが、 従来のバイオセンサ分与装置では、例えば、特開平８−２６２０２６号公報のバイオセンサ分与装置の操作方法では、スライドボタン（スライドラッチ）を、親指による２アクションスライド操作によりセンサを送出し、測定位置にセットし、測定終了後のセンサの離脱分離は、スライドボタンをセンサ送出時の逆方向にスライドさせるという煩雑な計測動作が必要であるという問題があった。
【００１２】
また、現在普及しているバイオセンサに対しても、測定装置の利便性を図る事が求められる。即ち、現在多く使用されているバイオセンサ単品仕様品についても、バイオセンサを単品かつ手動で分与装置に取り付け測定可能とすることが望まれている。さらに、測定者側からは、感染防止等の衛生上、測定の被検体者の生体試料に対し、極力非接触で測定が可能な事が望まれている。
【００１３】
本発明は、上記のような従来の問題点を解決するために、血液などの生体試料中の特定成分を簡易かつ迅速、高精度に測定するための簡便なバイオセンサを収納するバイオセンサカートリッジ、及び取扱いが容易なバイオセンサ分与装置を提供することを目的とする。
【００１４】
【課題を解決するための手段】
本発明は、目的の生体値測定を行う際、バイオセンサを複数個縦列に積層し筐体内に収納したバイオセンサカートリッジを使用する事により、バイオセンサ分与装置に、そのセンサカートリッジを装填し、分与装置のレバーのオン・オフ操作のみで、バイオセンサカートリッジ内のバイオセンサを送出し測定位置にセットし、且つ測定終了時のセンサ離脱分離も行う事が出来るようにしたものである。
【００１５】
また、離脱分離したセンサは、測定装置に一時的に確保出来るように収納ボックスを設けることにより、複数個貯まったセンサを一括して廃棄することが可能となり、測定後の煩雑さを改善できるようにしたものである。
さらに、測定時のバイオセンサ取り付け部は、現行普及タイプのバイオセンサ単品仕様品も手動取り付け可能な構造とすることにより、測定が行なえるようにしたものである。
【００１６】
このように、本発明は生体値測定を簡便容易に行なうことができるバイオセンサを収納するバイオセンサカートリッジ及びバイオセンサ分与装置を提供せんとするものである。
【００１７】
即ち、本発明は、試料中の特定成分を検出するためのバイオセンサを複数収納しうるバイオセンサカートリッジであって、筐体内に該バイオセンサが縦列に積層して収納され、当該筐体が測定器としてのバイオセンサ分与装置に装填され、目的の試料測定を行う際、該バイオセンサ分与装置の操作により、各バイオセンサの測定が可能となることを特徴とするものである。
【００１８】
また、本発明は、前記バイオセンサカートリッジにおいて、前記バイオセンサは弾性材で積層方向に押圧することにより正規の送出位置に位置決めされ、該バイオセンサを積層方向と直角をなす方向に押圧することにより、順次送出するようにしたことを特徴とするものである。
【００１９】
また、本発明は、前記バイオセンサカートリッジにおいて、外形形状が、非対称の立体形状となっていることを特徴とするものである。
【００２０】
また、本発明は、前記バイオセンサカートリッジにおいて、センサ送出口及びセンサ送出用ノブ挿入口とを備え、該センサ送出口と該センサ送出用ノブ挿入口は、バイオセンサ分与装置によるセンサ離脱操作後は、密閉状態となることを特徴とするものである。
【００２１】
また、本発明は、前記バイオセンサカートリッジにおいて、乾燥剤が内蔵されていることを特徴とするものである。
【００２２】
また、本発明は、バイオセンサを測定位置にセットし、目的の試料測定を行うバイオセンサ分与装置であって、請求項１記載のバイオセンサカートリッジを装填し、レバー操作によるノブの往復運動で、バイオセンサカートリッジケース内のバイオセンサを送出して、測定位置に搬出し、バイオセンサ電極とバイオセンサ分与装置側のセンサ電極接続接点とを接続し、バイオセンサからの電気的データを得るようにしたことを特徴とするものである。
【００２３】
また、本発明は、前記バイオセンサ分与装置において、測定終了後前記レバー操作により、使用済みバイオセンサを離脱可能にするよう構成されていることを特徴とするものである。
【００２４】
また、本発明は、前記バイオセンサ分与装置において、スライドレール台を備え、該スライドレール台は、１回のバイオ測定に対し、２回のレバー操作により、バイオセンサを測定位置にセットし、測定後前記センサを離脱し測定終了とする、一連の動作を可能とするようにしたことを特徴とするものである。
【００２５】
また、本発明は、前記バイオセンサ分与装置において、前記スライドレール台は、レバー操作時にレバーの逆方向の移動を防止する逆移動防止ヅメを備えたことを特徴とするものである。
【００２６】
また、本発明は、前記バイオセンサ分与装置において、バイオセンサの測定セット位置を、レバーが配設された側の側面とは反対側の一側面に設け、かつバイオセンサカートリッジの装填口も、該反対側の一側面に設けたことを特徴とするものである。
【００２７】
また、本発明は、前記バイオセンサ分与装置において、前記バイオセンサにより測定された測定値を表示する測定値表示器を、レバー操作を妨げない一側面に設けたことを特徴とするものである。
【００２８】
また、本発明は、前記バイオセンサ分与装置において、各センサ毎にバイオセンサ包装袋に分包されたバイオセンサを、手動でバイオセンサ分与装置に挿入することを特徴とするものである。
【００２９】
また、本発明は、前記バイオセンサ分与装置において、前記バイオセンサ包装袋に分包されたバイオセンサは、センサの逆挿入防止突起が、センサ電極接続接点台とセンサを平行にすることで、センサ電極接続点が電気的に接続されることにより、手動でバイオセンサ分与装置に挿入した際に測定することを特徴とするものである。
【００３０】
また、本発明は、前記バイオセンサ分与装置において、センサ廃棄用ケースを備え、該センサ廃棄用ケースは、使用済みバイオセンサを一時的に複数個収納出来るよう構成されていることを特徴とするものである。
【００３１】
また、本発明は、前記バイオセンサ分与装置において、前記センサ廃棄用ケースは、透明もしくは半透明としたことを特徴とするものである。
【００３２】
【発明の実施の形態】
以下、本発明の実施の形態について説明する。
実施の形態１．
本発明の実施の形態１について、現在、最も汎用的に使用されている、血糖値測定装置を例に説明する。
図１は、本発明の実施の形態１の一実施例であるセンサ６２を収納したバイオセンサカートリッジ１の模式図である。
前記バイオセンサカートリッジ１は、内ケース３と外ケース２から成っている。
【００３３】
図２は、本発明の実施の形態１の一実施例であるバイオセンサカートリッジ・内ケースの模式図であり、図３は、本発明の実施の形態１の一実施例であるバイオセンサカートリッジ・内ケースの構造斜視図を示す。
図において、前記バイオセンサカートリッジ・内ケースは、複数個のセンサ６２を積層し収納する。
【００３４】
内ケース３の底面側左右には、積層されたセンサ６２を外部に送出する為の、センサ送出口８とセンサ送出ノブ挿入口９が設けられている。前記センサ送出口８には密閉扉６が取り付けられ、センサ６２の送出時以外はセンサ送出口８を密閉する構造になっている。
【００３５】
前記密閉扉６には、棒バネ７が取り付けられ、通常において、前記密閉扉６は前記棒バネ７により閉ざされる。開閉部には、シリコンゴム等の弾性ゴム材１３が取り付けられ、センサ送出口８は密閉される。
【００３６】
内ケース３内に積層収納されたセンサ６２の最下位センサが、センサ送出口８より送出された時、次のセンサを正しく送出位置に導く為、センサ押えバネ（弾性材）４に取り付けられたセンサ押え板５により、積層収納された最上位のセンサ６２の天面が押圧される。これにより、積層収納された全てのセンサが正しく送出位置にセットされる。
【００３７】
図４は、本発明の実施の形態１の一実施例である、バイオセンサカートリッジの組み立て構造図である。
図において、外ケース２も前記内ケース３と同様に、底面側左右には、積層されたセンサ６２を外部に送出する為の、センサ送出口１１とセンサ送出ノブ挿入口１２が空けられている。前記センサ送出ノブ挿入口１２には、密閉扉１０が取り付けられ、センサ６２の送出時以外は、センサ送出ノブ挿入口１２は、内ケース３の密閉扉６と同様に密閉される。
【００３８】
また、外ケース２の稜線ＡＡ’とＢＢ’の寸法関係は、ＡＡ’＞ＢＢ’としてあり、センサカートリッジ１は位置方向規制を持たせている。外ケース２内に内ケース３を収納し、図４において、外ケース２に内ケース３の稜線Ｃ,Ｄ,Ｅ,Ｆが重なる面は密着溶接を行っている。よって、積層収納されたバイオセンサ内は、内ケース３と外ケース２に各々設けられた密閉扉６及び密閉扉１０により、外気と遮断された密閉構造となる。
【００３９】
また、内ケース３のセンサ押え板上には乾燥剤６０を取り付け、湿度による影響を防ぎ、センサ性能を保証している。
【００４０】
図５は、本発明の実施の形態１の一実施例である、バイオセンサ分与装置１４の側面図であり、図６は、本発明の実施の形態１の一実施例である、バイオセンサ分与装置１４の正面図である。
【００４１】
バイオセンサ分与装置１４を左右どちらの手でも簡単に取り扱えるようにする為、測定値表示器３２は、レバー４４操作を妨げない一側面、即ちバイオセンサ分与装置１４の側背面に設けられている。さらに、カートリッジ装填蓋１８、バイオセンサ測定位置、及びレバー４４も、バイオセンサ分与装置１４の側面に取り付ける構成となっている。
【００４２】
以下、本発明の実施の形態１の一実施例である、バイオセンサ分与装置１４の動作について説明する。
バイオセンサカートリッジ１は、レバー４４が配設された側面とは反対側の一側面に配設されたカートリッジ装填蓋１８を開き、バイオセンサ分与装置１４に装填する。レバー４４を指で握り締める事によるレバー４４の往復運動により、センサ送出ノブ１５をスライド駆動させ、センサカートリッジ１底面のセンサを送出する。センサ６２を測定位置であるセンサ電極接続接点台２０までスライド移動させ、センサ６２がセットされる。
【００４３】
１回の生体値測定に対し、２回のレバー４４操作により測定を完了させる。１回目のレバー４４操作でセンサ６２を測定位置にセットし、検体試料を点着測定後、２回目のレバー４４操作でセンサを離脱し測定終了とさせる。この動作は、スライドブロック（スライドレール台）２６にて実現させている。
【００４４】
次に、前記スライドブロック２６の動作について説明する。
図７は、本発明の実施の形態１の一実施例であるバイオセンサ分与装置の、スライドブロックの模式図であり、図８は、前記スライドブロックの正面図及び側面図である。
【００４５】
図において、スライドブロック２６には導入溝３５が設けられている。前記導入溝３５は、レバー軸２３を中心とした円周上に作られている。
図８において、導入溝３５のグレー色の部分は溝の深さが浅く、白い部分は深くなっている。前記導入溝３５は、図のように繋がっており、エンドレスとなっている。
【００４６】
前記スライドブロック２６は、バイオセンサ分与装置１４の外装ケース１９に固定されたスライドレール２７，２８，２９により支持され、左右方向にスライド移動するようになっている。また、前記スライドブロック２６に備えられた導入溝３５には、レバー４４に固定し取り付けられたレバー導入突起３４が、摺動可能に係合し噛み合わさっている。
【００４７】
前記レバー４４は、外装ケース１９に固定支持されたレバー軸２３により支持される。図５において、前記レバー４４のレバー軸２３の支持部形状は円形ではなく、スライドブロック２６の方向に長くのびた長方形状となっており、レバー４４に支持されるレバー軸支持バネ２４の弾性力で、支持されている。
【００４８】
また、前記レバー４４は、レバー駆動用バネ２５により、常に前方方向に押し返す力が加わっている。測定完了時は、常にレバー４４は、図５及び図６に示すレバー４４及びレバー導入突起３４の位置にある。
【００４９】
１回目のレバー操作において、レバー４４のレバー導入突起３４は、スライドブロック２６の最右側溝の上端部まで摺動移動する。この時、図８に示すように前記スライドブロックにおける導入溝３５のグレー色の部分は溝の深さが浅い為、レバー４４は、レバー軸２３方向に持ち上げられる。これにより、レバー４４及びセンサ送出ノブ１５に設けられた鋸歯３６，３７同士が噛み合い、スライドブロック２６の溝の浅い部分の長さのみ、センサ送出ノブ１５がセンサ６２を押し出す方向にスライドされる。この押し出しストロークはセンサ６２の測定位置迄の距離に設計されており、センサ６２は測定位置にセットされる。レバー４４はスライドブロック２６の最右側溝の上端部迄移動し、それ以上のレバー操作は出来ない。
【００５０】
次に、レバー４４を離すと、スライドブロック２６の右側から２番目の導入溝を摺動移動し、その２番目最下端まで移動し止まる。この２番目の導入溝３５は深い為、レバー４４は、レバー軸支持バネ２４の弾性力で押し下げられる。これにより、レバー４４及びセンサ送出ノブ１５に設けられた鋸歯３６，３７は噛み合いが離れ、センサ送出ノブ１５は静止したままである。この時点で、セットされたセンサ６２に検体試料を点着し、測定が行われる。
【００５１】
２回目のレバー操作は、測定後、センサを離脱させる為に行う。
測定後のレバー４４位置は、スライドブロック２６の右側から２番目最下端にある。レバー４４を操作すると、レバー導入突起３４は、スライドブロック２６の右から３番目の溝上端部まで摺動移動する。この時、図８に示すようにスライドブロックにおける導入溝３５の、右から３番目のグレー色の部分は溝の深さが浅い為、レバー４４は、１番目のレバー動作同様、レバー４４がレバー軸２３方向に持ち上げられる。これにより、レバー４４及びセンサ送出ノブ１５に設けられた鋸歯３６，３７同士が噛み合い、スライドブロック２６の溝の浅い部分の長さのみ、センサ送出ノブ１５がセンサ６２を押し出す方向にスライドされる。この押し出しストロークは、センサ６２の測定位置からセンサが離脱するまでの距離に設計されており、センサはバイオセンサ分与装置１４より離脱される。
【００５２】
次に、レバー４４は、スライドブロック２６の右側より３番目溝の上端部まで移動する。レバー４４を離すと、スライドブロック２６の最左側の導入溝を最下端まで摺動移動し、スライドブロック２６の初期位置まで移動し止まる。この時センサ送出ノブ１５も、スライドブロック２６の導入溝３５は浅く設計されている為、レバー４４及びセンサ送出ノブ１５に設けられた鋸歯３６，３７同士が噛み合い、初期の位置に戻り静止する。スライドブロック２６の導入溝３５の溝上端及び溝下端部には、図８に示すように逆移動防止ヅメ４６，４７，４８，４９を設け、レバー導入突起３４の摺動部が逆移動しないようにしている。
【００５３】
以上の動作で、１回の測定動作を終える。
図９は、本発明の一実施例であるバイオセンサ分与装置の、センサ電極接続接点台の模式図であり、図１０は、本発明の一実施例であるバイオセンサ分与装置の、センサ電極接続接点台の動作時模式図である。
【００５４】
図９において、前記センサ電極接続接点台２０には、センサ６２とバイオセンサ分与装置１４の電気回路とを接続する為に、センサ電極接続接点２１，２２が設けられている。
【００５５】
次に、センサ電極接続接点台２０の動作について説明する。
図１０において、前記センサ６２が、センサ電極接続接点台２０上の正規の位置に搬送されると、センサ電極接続接点２１，２２とセンサ６２の電極６５，６６は、電気的に接続される。前記センサ電極接続接点２１，２２とセンサ６２による電気回路間は、フレキシブル基板３９により接続される。
【００５６】
被検体者の検体試料である微量の血液を、センサ６２の先端の試料供給孔５７に付着させると、電気回路から前記センサ電極６５，６６に印可している電圧により、微少電流を検出し、電気回路が自動的にＯＮする。バイオセンサ分与装置１４の電気回路は、センサ電極６５，６６間に流れる電流値を計測し、この信号をもとに、図示しないマイコンにより、試料液中の基質濃度を計算し、その値はバイオセンサ分与装置１４の測定値表示器３２に表示される。
【００５７】
図１０に示すように、センサ６２と接続されている状態においては、センサ６２とセンサ電極接続接点台２０のトップ面は、センサ６２の逆挿入防止突起５６で押えられ平行になる。センサ電極接続接点２１，２２はセンサ電極６５，６６に押し付けられ、電気的に接続される。
【００５８】
図１１は、本発明の実施例であるバイオセンサ分与装置の、センサカートリッジによるセンサ装着動作図である。図１１に示されるように、センサ６２が測定位置にない時は、前記電極接続接点台２０は、接点台可動用バネ４０で斜め約３０度くらいに支持されている。
【００５９】
このように、センサ６２の正規の測定位置でのみ、センサ電極６５，６６へセンサ電極接続接点２１，２２の接続を行うことで、センサ摺動時の磨耗を無くし信頼性を確保することができる。
【００６０】
以上のように、本実施の形態１のバイオセンサカートリッジは、複数のセンサを複数個縦列に収納することができ、本実施の形態１のバイオセンサ分与装置で測定することができる。
【００６１】
また、本実施の形態１のバイオセンサ分与装置は、図１６に示す従来のバイオセンサ包装袋に包装（分包）した、汎用タイプのセンサ６２についても、センサ６２の手動取り付け測定を可能とする。
【００６２】
図１２は、本発明の実施の形態１の一実施例であるバイオセンサ分与装置の、単品センサ使用による手動センサ装着動作図である。
図において、電極接続接点台２０には手動による挿入センサを正規位置でガイドする為、センサガイドバネ３８を設ける。前記センサガイドバネ３８は、センサカートリッジ１使用による自動装填測定時には、図１１に示されるように、センサ送出ノブ１５の底面に当り押し下げられ、センサ搬送の妨げにはならない。
【００６３】
また、センサ６２を手動で挿入する時、センサ６２の逆挿入防止の為、電極接続接点台２０には逆挿入防止ヅメ３０を設ける。センサ６２の逆挿入を防止することで、センサ電極６５，６６はセンサ電極接続接点２１，２２と接続されないようにしている。
【００６４】
図１３は、本発明の実施の形態１の一実施例であるバイオセンサ分与装置の、センサ廃棄用ケース取り付け仕様品の正面図及び側面図であり、図１４は、本発明の実施の形態１の一実施例であるバイオセンサ分与装置の、センサ廃棄用ケース取り付け仕様品の廃棄動作時の側面図である。
【００６５】
図において、使用済みセンサを一時保管し一括廃棄が出来るように、センサ廃棄用ケース３１をバイオセンサ分与装置１４に取り付けている。バイオセンサ分与装置１４側に設けた固定リブ４３と、センサ廃棄用ケース３１に設けたスリット４５により、センサ廃棄用ケース３１が固定リブ４３に沿ってスライド移動するようになっている。
【００６６】
センサ６２をバイオセンサ分与装置１４から離脱時、センサ廃棄用ケース３１をスライド移動させ、離脱したセンサを複数個一時収納しておき、後に一括廃棄可能とする事により、測定の煩雑さを改善することができる。
【００６７】
また、前記センサ廃棄用ケース３１は、透明もしくは半透明になっている。これにより、使用済みのセンサ６２の数量が容易に分かり、センサを補充するのが容易である。
【００６８】
このように本実施の形態１では、複数のバイオセンサ６２を収納したセンサカートリッジ１を、バイオセンサ分与装置１４に装填し、簡単なレバー４４操作をするので、センサ６２を測定位置に確実に装填する事ができる。また、従来の包装袋６１に包装された単品のセンサ６２も、従来通りの手動による挿入での測定が可能である。さらに、測定後の使用済みセンサを一時保管し、一括廃棄可能としたことにより、測定時の煩わしさや労力を低減させることが可能となる。
【００６９】
以上のように、本発明のバイオセンサカートリッジは、試料中の特定成分を検出するためのバイオセンサを複数収納しうるバイオセンサカートリッジであって、筐体内に該バイオセンサが縦列に積層して収納され、当該筐体が測定器としてのバイオセンサ分与装置に装填され、目的の試料測定を行う際、該バイオセンサ分与装置の操作により、各バイオセンサの測定が可能となるようにしたので、複数回の測定を簡便かつ容易に行うことができるという効果がある。
【００７０】
本発明は、前記バイオセンサカートリッジにおいて、前記バイオセンサは弾性材で積層方向に押圧することにより正規の送出位置に位置決めされ、該バイオセンサを積層方向と直角をなす方向に押圧することにより、順次送出するようにしたので、バイオセンサをカートリッジ送出位置に押し当てて配置し、容易に順次送出することができるという効果がある。
【００７１】
本発明は、前記バイオセンサカートリッジにおいて、外形形状は、非対称の立体形状となっているので、バイオセンサカートリッジを測定器に装填時、挿入方向規制を有し、カートリッジを逆方向に装填するのを防止することができるという効果がある。
【００７２】
本発明は、前記バイオセンサカートリッジにおいて、センサ送出口及びセンサ送出用ノブ挿入口とを備え、該センサ送出口と該センサ送出用ノブ挿入口は、バイオセンサ分与装置によるセンサ離脱操作後は、密閉状態となるので、外気の流通を防止することができるという効果がある。
【００７３】
本発明は、前記バイオセンサカートリッジにおいて、乾燥剤が内蔵されているので、バイオセンサに使用される試薬物質の特性劣化を防止し、センサ性能の維持保証を行うことができるという効果がある。
【００７４】
本発明は、バイオセンサを測定位置にセットし、目的の試料測定を行うバイオセンサ分与装置であって、請求項１記載のバイオセンサカートリッジを装填し、レバー操作によるノブの往復運動で、バイオセンサカートリッジケース内のバイオセンサを送出して、測定位置に搬出し、バイオセンサ電極とバイオセンサ分与装置側のセンサ電極接続接点とを接続し、バイオセンサからの電気的データを得るようにしたので、マイコン処理によって測定値が求められ、分与装置に設けた表示器に測定値を表示することができるという効果がある。
【００７５】
本発明は、前記バイオセンサ分与装置において、測定終了後前記レバー操作により、使用済みバイオセンサを離脱可能にするよう構成されているので、容易に使用済みのバイオセンサを廃棄することができるという効果がある。
【００７６】
本発明は、前記バイオセンサ分与装置において、スライドレール台を備え、該スライドレール台は、１回のバイオ測定に対し、２回のレバー操作により、バイオセンサを測定位置にセットし、測定後前記バイオセンサを離脱し測定終了とする、一連の動作を可能とするようにしたので、バイオセンサ分与装置において、レバーの往復運動によってバイオセンサを測定位置にセットし、測定終了時、使用済みバイオセンサを離脱させるとき、容易に一連の動作を行うことができるという効果がある。
【００７７】
本発明は、前記バイオセンサ分与装置において、前記スライドレール台は、レバー操作時にレバーの逆方向の移動を防止する逆移動防止ヅメを備えたので、確実にレバーの操作をすることができるという効果がある。
【００７８】
本発明は、前記バイオセンサ分与装置において、バイオセンサの測定セット位置を、レバーが配設された側の側面とは反対側の一側面に設け、かつバイオセンサカートリッジの装填口も、該反対側の一側面に設けたので、バイオセンサ分与装置の各構成要素がそれぞれ、測定の際の動作を容易に行なうことができるように配置されており、左右どちらの手でも容易に測定を行うことができるという効果がある。
【００７９】
本発明は、前記バイオセンサ分与装置において、前記バイオセンサにより測定された測定値を表示する測定値表示器を、レバー操作を妨げない一側面に設けたので、左右どちらの手の操作においても、表裏なく容易に測定値が読み取れることができるという効果がある。
【００８０】
本発明は、前記バイオセンサ分与装置において、各センサ毎にバイオセンサ包装袋に分包されたバイオセンサを、手動でバイオセンサ分与装置に挿入するようにしたので、現行の普及タイプのバイオセンサも使用可能となり、測定装置の利便性を増すことができるという効果がある。
【００８１】
本発明は、前記バイオセンサ分与装置において、前記バイオセンサ包装袋に分包されたバイオセンサは、センサの逆挿入防止突起が、センサ電極接続接点台とセンサを平行にすることで、センサ電極接続点が電気的に接続されることにより、手動でバイオセンサ分与装置に挿入した際に測定するようにしたので、現行の普及タイプのバイオセンサも使用可能となり、測定装置の利便性を増すことができるという効果がある。
【００８２】
本発明は、前記バイオセンサ分与装置において、センサ廃棄用ケースを備え、該センサ廃棄用ケースは、使用済みバイオセンサを一時的に複数個収納出来るよう構成されているので、感染防止等の衛生上、測定時の被検体者の生体試料に対し、極力非接触で測定を効率良く行うことができるという効果がある。
【００８３】
本発明は、前記バイオセンサ分与装置において、前記センサ廃棄用ケースは、透明もしくは半透明色としたので、使用済みのバイオセンサの量を容易に把握することができ、廃棄処理の時期が明確に判るようにできるという効果がある。
【図面の簡単な説明】
【図１】本発明の実施の形態１の一実施例である、バイオセンサカートリッジの模式図である。
【図２】本発明の実施の形態１の一実施例である、バイオセンサカートリッジ・内ケースの模式図である。
【図３】本発明の実施の形態１の一実施例である、バイオセンサカートリッジ・内ケースの構造斜視図である。
【図４】本発明の実施の形態１の一実施例である、バイオセンサカートリッジの組み立て構造図である。
【図５】本発明の実施の形態１の一実施例である、バイオセンサ分与装置の側面図である。
【図６】本発明の実施の形態１の一実施例である、バイオセンサ分与装置の正面図である。
【図７】本発明の実施の形態１の一実施例であるバイオセンサ分与装置の、スライドブロックの模式図である。
【図８】本発明の実施の形態１の一実施例であるバイオセンサ分与装置の、スライドブロックの正面図（ａ）及び側面図（ｂ）である。
【図９】本発明の実施の形態１の一実施例であるバイオセンサ分与装置の、センサ電極接続接点台の模式図である。
【図１０】本発明の実施の形態１の一実施例であるバイオセンサ分与装置の、センサ電極接続接点台の動作時模式図である。
【図１１】本発明の実施の形態１の一実施例であるバイオセンサ分与装置の、バイオセンサカートリッジによるセンサ装着動作図である。
【図１２】本発明の実施の形態１の一実施例であるバイオセンサ分与装置の、従来の単品のセンサを使用する場合の、手動によるセンサ装着動作図である。
【図１３】本発明の実施の形態１の一実施例であるバイオセンサ分与装置の、センサ廃棄ケース取り付け仕様品の側面図（ａ）及び正面図（ｂ）である。
【図１４】本発明の実施の形態１の一実施例であるバイオセンサ分与装置の、センサ廃棄ケース取り付け仕様品の廃棄動作時の側面図である。
【図１５】従来のバイオセンサの分解斜視図である。
【図１６】従来のバイオセンサ包装袋の外観模式図である。
【図１７】従来のバイオセンサ分与装置の模式図である。
【符号の説明】
１  バイオセンサカートリッジ
２  外ケース
３  内ケース
４  センサ押えバネ
５  センサ押え板
６，１０  密閉扉
７，７’  棒バネ
８，１１  センサ送出口
９，１２  センサ送出ノブ挿入口
１３，１３’  弾性ゴム材
１４，６８  バイオセンサ分与装置
１５  センサ送出ノブ
１６，１７  ノブレール
１８  カートリッジ装填蓋
１９  外装ケース
２０  センサ電極接続接点台
２１，２２  センサ電極接続接点
２３  レバー軸
２４  レバー軸支持バネ
２５  レバー駆動用バネ
２６  スライドブロック
２７，２８，２９  スライドレール
３０  逆挿入防止ヅメ
３１  センサ廃棄用ケース
３２  測定値表示器
３３  回路基板
３４  レバー導入突起
３５  導入溝
３６，３７  鋸歯
３８  センサガイドバネ
３９  フレキシブル基板
４０  接点台可動用バネ
４１  接点台支持軸
４２  外装リブ
４３  固定リブ
４４  レバー
４５  スリット
４６，４７，４８，４９  逆移動防止ヅメ
５０  基板
５１，５２  リード
５３  対極
５４  測定極
５５  スペーサ
５６  逆挿入防止突起
５７  試料供給孔
５８  カバー
５９  空気孔
６０，７０  乾燥剤
６１  バイオセンサカートリッジ
６２，６９  センサ
６３  上包装材
６４  下包装材
６５，６６  センサ電極
６７  センサパック
【図１】
0004570290.tif 000002
【図２】
0004570290.tif 000003
【図３】
0004570290.tif 000004
【図４】
0004570290.tif 000005
【図５】
0004570290.tif 000006
【図６】
0004570290.tif 000007
【図７】
0004570290.tif 000008
【図８】
0004570290.tif 000009
【図９】
0004570290.tif 000010
【図１０】
0004570290.tif 000011
【図１１】
0004570290.tif 000012
【図１２】
0004570290.tif 000013
【図１３】
0004570290.tif 000014
【図１４】
0004570290.tif 000015
【図１５】
0004570290.tif 000016
【図１６】
0004570290.tif 000017
【図１７】
0004570290.tif 000018